【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
シート上の画像を加熱するエンドレスベルトユニットであって、
エンドレスベルトの幅方向一端側に配置された導電層と、
前記導電層と電気的に接続され前記導電層を介しての通電により発熱する抵抗層と、
前記導電層と電気的に接続するように前記エンドレスベルトの幅方向一端側に組み付けられた第１のリングと、
前記導電層を介して前記第１のリングの反対側に組み付けられた第２のリングと、
前記第１のリングと前記第２のリングが前記導電層と一体的に回動するように前記第１のリングと前記第２のリングを互いに固定する固定部材と、
を有することを特徴とするエンドレスベルトユニット。
【請求項２】
前記固定部材は、前記第１のリングと前記第２のリングに挟まれた状態の前記導電層を貫くネジを有することを特徴とする請求項１に記載のエンドレスベルトユニット。
【請求項３】
前記固定部材は、前記第１のリングと前記第２のリングを保持するとともに固定するリング状保持部材を有することを特徴とする請求項１又は２に記載のエンドレスベルトユニット。
【請求項４】
前記リング状保持部材は前記第１のリングと前記第２のリングを固定するためのテーパ部を有することを特徴とする請求項３に記載のエンドレスベルトユニット。
【請求項５】
前記第１のリングは前記導電層と接触するように配置されていることを特徴とする請求項１乃至４のいずれか一項に記載のエンドレスベルトユニット。
【請求項６】
前記第１のリングは金属製であることを特徴とする請求項１乃至５のいずれか一項に記載のエンドレスベルトユニット。
【請求項７】
前記第１のリングは銅製であることを特徴とする請求項６に記載のエンドレスベルトユニット。
【請求項８】
前記第２のリングは周方向の一部にスリットが形成されていることを特徴とする請求項１乃至７のいずれか一項に記載のエンドレスベルトユニット。
【請求項９】
前記第１のリングは前記エンドレスベルトの外面側に配置され、前記第２のリングは前記エンドレスベルトの内面側に配置されていることを特徴とする請求項１乃至８のいずれか一項に記載のエンドレスベルトユニット。
【請求項１０】
前記抵抗層の上にシートと接触し得る離型層を更に有することを特徴とする請求項１乃至９のいずれか一項に記載のエンドレスベルトユニット。
【請求項１１】
前記抵抗層と前記離型層との間に弾性層を更に有することを特徴とする請求項１０に記載のエンドレスベルトユニット。
【請求項１２】
シート上の画像を加熱するエンドレスベルトユニットであって、
エンドレスベルトの幅方向一端側に配置された導電層と、
前記導電層と電気的に接続され前記導電層を介しての通電により発熱する抵抗層と、
前記エンドレスベルトの幅方向一端側に配置されたリングであって、前記導電層と電気的に接続されるように前記エンドレスベルトの幅方向一端が挿入される空洞部を備えた有底のリングと、
前記リングが前記導電層と一体的に回動するように前記リングを固定する固定部材と、
を有することを特徴とするエンドレスベルトユニット。
【請求項１３】
シート上の画像を加熱するエンドレスベルトユニットあって、
エンドレスベルトの幅方向一端側に配置された第１の導電層と、
前記エンドレスベルトの幅方向他端側に配置された第２の導電層と、
前記第１の導電層および前記第２の導電層と電気的に接続され前記第１の導電層を介しての通電により発熱する抵抗層と、
前記第１の導電層と電気的に接続するように前記エンドレスベルトの幅方向一端側に組み付けられた第１のリングと、
前記第１の導電層を介して前記第１のリングの反対側に組み付けられた第２のリングと、
前記第１のリングと前記第２のリングが前記第１の導電層と一体的に回動するように前記第１のリングと前記第２のリングを互いに固定する第１の固定部材と、
前記第２の導電層と電気的に接続するように前記エンドレスベルトの幅方向他端側に組み付けられた第３のリングと、
前記第２の導電層を介して前記第２のリングの反対側に組み付けられた第４のリングと、
前記第３のリングと前記第４のリングが前記第２の導電層と一体的に回動するように前記第３のリングと前記第４のリングを互いに固定する第２の固定部材と、
を有することを特徴とするエンドレスベルトユニット。
【請求項１４】
前記第１の固定部材は前記第１のリングと前記第２のリングに挟まれた状態で前記第１の導電層を貫く第１のネジを有し、前記第２の固定部材は前記第３のリングと前記第４のリングに挟まれた状態の前記第２の導電層を貫く第２のネジを有することを特徴とする請求項１３に記載のエンドレスベルトユニット。
【請求項１５】
前記第１の固定部材は前記第１のリングと前記第２のリングを保持するとともに固定する第１のリング状保持部材を有し、前記第２の固定部材は前記第３のリングと前記第４のリングを保持するとともに固定する第２のリング状保持部材を有することを特徴とする請求項１３又は１４に記載のエンドレスベルトユニット。
【請求項１６】
前記第１のリング状保持部材は前記第１のリングと前記第２のリングを固定するためのテーパ部を有し、前記第２のリング状保持部材は前記第３のリングと前記第４のリングを固定するためのテーパ部を有することを特徴とする請求項１５に記載のエンドレスベルトユニット。
【請求項１７】
前記第１のリングは前記第１の導電層と接触するように配置され、前記第２のリングは前記第２の導電層と接触するように配置されていることを特徴とする請求項１３乃至１６のいずれか一項に記載のエンドレスベルトユニット。
【請求項１８】
前記第１のリングと前記第３のリングは金属製であることを特徴とする請求項１３乃至１７のいずれか一項に記載のエンドレスベルトユニット。
【請求項１９】
前記第１のリングと前記第３のリングは銅製であることを特徴とする請求項１８に記載のエンドレスベルトユニット。
【請求項２０】
前記第２のリングと前記第４のリングは周方向の一部にスリットが形成されていることを特徴とする請求項１３乃至１９のいずれか一項に記載のエンドレスベルトユニット。
【請求項２１】
前記第１のリングと前記第３のリングは前記エンドレスベルトの外面側に配置され、前記第２のリングと前記第４のリングは前記エンドレスベルトの内面側に配置されていることを特徴とする請求項１３乃至２０のいずれか一項に記載のエンドレスベルトユニット。
【請求項２２】
前記抵抗層の上にシートと接触し得る離型層を更に有することを特徴とする請求項１３乃至２１のいずれか一項に記載のエンドレスベルトユニット。
【請求項２３】
前記抵抗層と前記離型層との間に弾性層を更に有することを特徴とする請求項２２に記載のエンドレスベルトユニット。
【請求項２４】
シート上の画像を加熱するエンドレスベルトユニットあって、
エンドレスベルトの幅方向一端側に配置された第１の導電層と、
前記エンドレスベルトの幅方向他端側に配置された第２の導電層と、
前記第１の導電層および前記第２の導電層と電気的に接続され前記第１の導電層を介しての通電により発熱する抵抗層と、
前記エンドレスベルトの幅方向一端側に配置された第１のリングであって、前記第１の導電層と電気的に接続されるように前記エンドレスベルトの幅方向一端が挿入される空洞部を備えた有底の第１のリングと、
前記第１のリングが前記第１の導電層と一体的に回動するように前記第１のリングを固定する第１の固定部材と、
前記第２の導電層と電気的に接続されるように前記エンドレスベルトの幅方向他端が挿入される空洞部を備えた有底の第２のリング状部材と、
前記第２のリングが前記第２の導電層と一体的に回動するように前記第２のリングを固定する第２の固定部材と、
を有することを特徴とするエンドレスベルトユニット。
【請求項２５】
シート上の画像をニップ部にて加熱するエンドレスベルトユニットであって、エンドレスベルトの幅方向一端側に配置された第１の導電層と、前記エンドレスベルトの幅方向他端側に配置された第２の導電層と、前記第１の導電層および前記第２の導電層と電気的に接続され前記第１の導電層を介しての通電により発熱する抵抗層と、前記第１の導電層）と電気的に接続するように前記エンドレスベルトの幅方向一端側に組み付けられた第１のリングと、前記第１の導電層を介して前記第１のリングの反対側に組み付けられた第２のリングと、前記第１のリングと前記第２のリングが前記第１の導電層と一体的に回動するように前記第１のリングと前記第２のリングを互いに固定する第１の固定部材と、前記第２の導電層と電気的に接続するように前記エンドレスベルトの幅方向他端側に組み付けられた第３のリングと、前記第２の導電層を介して前記第２のリングの反対側に組み付けられた第４のリングと、前記第３のリングと前記第４のリングが前記第２の導電層と一体的に回動するように前記第３のリングと前記第４のリングを互いに固定する第２の固定部材と、を有するエンドレスベルトと、
前記第１のリングと摺動可能に配置され前記第１の導電層を介して前記抵抗層へ給電を行う第１の摺動部材と、
前記第３のリングと摺動可能に配置され前記第１の摺動部材との間で前記抵抗層を介した給電経路を形成する第２の摺動部材と、
前記エンドレスベルトと協働して前記ニップ部を形成するとともに前記エンドレスベルトを回転駆動する駆動回転体と、
を有することを特徴とする画像加熱装置。
【請求項２６】
前記第１の固定部材は前記第１のリングと前記第２のリングに挟まれた状態で前記第１の導電層を貫く第１のネジを有し、前記第２の固定部材は前記第３のリングと前記第４のリングに挟まれた状態の前記第２の導電層を貫く第２のネジを有することを特徴とする請求項２５に記載の画像加熱装置。
【請求項２７】
前記第１の固定部材は前記第１のリングと前記第２のリングを保持するとともに固定する第１のリング状保持部材を有し、前記第２の固定部材は前記第３のリングと前記第４のリングを保持するとともに固定する第２のリング状保持部材を有することを特徴とする請求項２５又は２６に記載の画像加熱装置。
【請求項２８】
前記第１のリング状保持部材は前記第１のリングと前記第２のリングを固定するためのテーパ部を有し、前記第２のリング状保持部材は前記第３のリングと前記第４のリングを固定するためのテーパ部を有することを特徴とする請求項２７に記載の画像加熱装置。
【請求項２９】
前記第１のリングは前記第１の導電層と接触するように配置され、前記第２のリングは前記第２の導電層と接触するように配置されていることを特徴とする請求項２５乃至２８のいずれか一項に記載の画像加熱装置。
【請求項３０】
前記第１のリングと前記第３のリングは金属製であることを特徴とする請求項２５乃至２９のいずれか一項に記載の画像加熱装置。
【請求項３１】
前記第１のリングと前記第３のリングは銅製であることを特徴とする請求項３０に記載の画像加熱装置。
【請求項３２】
前記第２のリングと前記第４のリングは周方向の一部にスリットが形成されていることを特徴とする請求項２５乃至３１のいずれか一項に記載の画像加熱装置。
【請求項３３】
前記第１のリングと前記第３のリングは前記エンドレスベルトの外面側に配置され、前記第２のリングと前記第４のリングは前記エンドレスベルトの内面側に配置されていることを特徴とする請求項２５乃至３２のいずれか一項に記載の画像加熱装置。
【請求項３４】
前記エンドレスベルトの幅方向一端に対向配置され前記エンドレスベルトの幅方向一端側への移動を規制する第１の規制部材と、前記エンドレスベルトの幅方向他端に対向配置され前記エンドレスベルトの幅方向他端側への移動を規制する第２の規制部材と、を更に有し、前記第１の規制部材は前記第１のリングと突き当たり可能であり、前記第２の規制部材は前記第３のリングと突き当たり可能であることを特徴とする請求項２５乃至３３のいずれか一項に記載の画像加熱装置。
【請求項３５】
前記抵抗層の上にシートと接触し得る離型層を更に有することを特徴とする請求項２５乃至３４のいずれか一項に記載の画像加熱装置。
【請求項３６】
前記抵抗層と前記離型層との間に弾性層を更に有することを特徴とする請求項３５に記載の画像加熱装置。
【請求項３７】
シート上の画像をニップ部にて加熱するエンドレスベルトユニットあって、エンドレスベルトの幅方向一端側に配置された第１の導電層と、前記エンドレスベルトの幅方向他端側に配置された第２の導電層と、前記第１の導電層および前記第２の導電層と電気的に接続され前記第１の導電層を介しての通電により発熱する抵抗層と、前記エンドレスベルトの幅方向一端側に配置された第１のリングであって、前記第１の導電層と電気的に接続されるように前記エンドレスベルトの幅方向一端が挿入される空洞部を備えた有底の第１のリングと、前記第１のリングが前記第１の導電層と一体的に回動するように前記第１のリングを固定する第１の固定部材と、前記第２の導電層と電気的に接続されるように前記エンドレスベルトの幅方向他端が挿入される空洞部を備えた有底の第２のリング状部材と、前記第２のリングが前記第２の導電層と一体的に回動するように前記第２のリングを固定する第２の固定部材と、を有するエンドレスベルトと、
前記第１のリングと摺動可能に配置され前記第１の導電層を介して前記抵抗層へ給電を行う第１の摺動部材と、
前記第２のリングと摺動可能に配置され前記第１の摺動部材との間で前記抵抗層を介した給電経路を形成する第２の摺動部材と、
前記エンドレスベルトと協働して前記ニップ部を形成するとともに前記エンドレスベルトを回転駆動する駆動回転体と、
を有することを特徴とする画像加熱装置。
【手続補正２】
【補正対象書類名】明細書
【補正対象項目名】発明の名称
【補正方法】変更
【補正の内容】
【発明の名称】エンドレスベルトユニット及びこれを備えた画像加熱装置
【手続補正３】
【補正対象書類名】明細書
【補正対象項目名】０００１
【補正方法】変更
【補正の内容】
【０００１】
本発明は、シート上の画像を加熱するエンドレスベルトユニットとこれを備えた画像加熱装置に関する。
【手続補正４】
【補正対象書類名】明細書
【補正対象項目名】０００７
【補正方法】変更
【補正の内容】
【０００７】
本発明は長寿命化を実現したエンドレスベルトユニット及びそれを用いた画像加熱装置を提供することを目的とする。
【手続補正５】
【補正対象書類名】明細書
【補正対象項目名】０００８
【補正方法】変更
【補正の内容】
【０００８】
上記の目的を達成するための本発明に係るエンドレスベルトユニットの代表的な構成は、シート上の画像を加熱するエンドレスベルトユニットであって、エンドレスベルトの幅方向一端側に配置された導電層と、前記導電層と電気的に接続され前記導電層を介しての通電により発熱する抵抗層と、前記導電層と電気的に接続するように前記エンドレスベルトの幅方向一端側に組み付けられた第１のリングと、前記導電層を介して前記第１のリングの反対側に組み付けられた第２のリングと、前記第１のリングと前記第２のリングが前記導電層と一体的に回動するように前記第１のリングと前記第２のリングを互いに固定する固定部材と、を有することを特徴とする。
【手続補正６】
【補正対象書類名】明細書
【補正対象項目名】０００９
【補正方法】変更
【補正の内容】
【０００９】
本発明によれば、長寿命化を実現したエンドレスベルトユニット及びそれを用いた画像加熱装置を提供することが出来る。
【手続補正７】
【補正対象書類名】明細書
【補正対象項目名】００２０
【補正方法】変更
【補正の内容】
【００２０】
この定着装置Ｆは、加熱回転体（第１の回転体）としての、シート上の画像を加熱する無端状の定着ベルト（定着部材、エンドレスベルトユニット：以下、ベルトと記す）３１を備えたベルトユニット３０を有する。そして、画像を担持したシートＰを挟持搬送して加熱するニップ部Ｎをベルト３１と協働して形成する加圧回転体（第２の回転体）としての弾性を有する加圧ローラ４０を有する。
【手続補正８】
【補正対象書類名】明細書
【補正対象項目名】００９１
【補正方法】変更
【補正の内容】
【００９１】
給電リング３８Ｌ・３８Ｒは上記のように外側筒部３８ａと内側筒部３８ｂとを一端側において互いにつなぎ部３８ｃを介して一連につなげた形態のものに限られない。外側筒部３８ａと内側筒部３８ｂとをつなぎ部３８ｃでつなげずに、図１１のように、給電リング３８Ｌ・３８Ｒを外側筒部３８ａ（第１、第３のリング状部材：第１、第３のリング）と内側筒部３８ｂ（第２、第４のリング状部材：第２、第４のリング）とを別々の部材に分割した形態にしてもよい。
【手続補正９】
【補正対象書類名】明細書
【補正対象項目名】００９６
【補正方法】変更
【補正の内容】
【００９６】
また、ベルト端部が給電リング３８Ｌ・３８Ｒの内外径面に挟まれることで、確実にベルト３１と給電リング３８Ｌ・３８Ｒが固定される。そのため、給電リング３８Ｌ・３８Ｒがベルト３１から外れることを防止でき、給電を安定化させることができた。